(57)【要約】【課題】テレビジョン放送により放映される任意の画面を選択して印刷予約をする。【解決手段】  テレビジョン放送により放映される画面であって印刷の対象となるもののリスト４４を表示する表示手段４８と、リスト４４の中から、予約画面５０を選択する選択手段５２と、選択手段５２により選択された予約画面５０の印刷を要求する情報（予約情報４０）を、制御用記憶装置２６に記憶させる印刷予約手段４２と、予約情報４０に従って、映像信号２０中に含まれる、特定のフレーム２２を検出するフレーム２２検出手段と、フレーム２２検出手段により検出された特定のフレーム２２から、予約画面５０の画像データ２４を取り出して一時的に記憶する印刷用バッファメモリ３０と、所定のタイミングで印刷用バッファメモリ３０に記憶された画像データ２４の転送を受けて印刷を実行する印刷手段３４とを備える。【選択図】図１
2005260694.tif 000002
【特許請求の範囲】
【請求項１】
テレビジョン放送により放映される画面であって印刷の対象となるもののリストの中から、印刷を要求する予約画面が選択されたとき、その選択情報を受け入れて、前記テレビジョン放送の映像信号中に含まれる、特定のフレームにより表示されるものであって、前記選択手段により選択された予約画面の印刷を要求する情報（予約情報）を、制御用記憶装置に記憶させる印刷予約手段と、
前記制御用記憶装置に記憶された予約情報に従って、前記テレビジョン放送の映像信号中に含まれる、前記特定のフレームを検出するフレーム検出手段と、
前記フレーム検出手段により検出された特定のフレームにより表示される、前記予約画面の画像データを一時的に記憶する印刷用バッファメモリと、
所定のタイミングで前記印刷用バッファメモリに記憶された画像データの転送を受けて印刷を実行する印刷手段とを備えたことを特徴とする放送画面予約印刷装置。
【請求項２】
請求項１に記載の放送画面予約印刷装置において、
前記印刷予約手段は、テレビジョン放送の映像信号中に含まれる特定のフレームに付与されている識別情報を前記予約情報に含めて前記制御用記憶装置に記憶させ、
前記フレーム検出手段は、前記テレビジョン放送の映像信号を監視して、前記識別情報が付与されたフレームを検出し、
前記印刷用バッファメモリは、前記識別情報が付与されたフレームにより表示される画面の画像データを一時的に記憶して、前記印刷手段に転送することを特徴とする放送画面予約印刷装置。
【請求項３】
請求項１に記載の放送画面予約印刷装置において、
前記印刷予約手段は、
前記リストを使用して選択された予約画面と前記予約情報との対応関係を示す予約情報変換手段により予約情報を生成することを特徴とする放送画面予約印刷装置。
【請求項４】
請求項１に記載の放送画面予約印刷装置において、
前記テレビジョン放送により放映される画面であって、印刷の対象となるものに、それぞれ、当該画面の内容に関連する分類が付与されており、
前記表示手段は前記分類を表示し、
前記選択手段が前記いずれかの分類を指定すると、該当する分類が付与された画面が選択され、対応する予約情報が印刷予約手段に通知されることを特徴とする放送画面予約印刷装置。
【請求項５】
請求項１に記載の放送画面予約印刷装置において、
前記印刷予約手段は、テレビジョン放送の映像信号中に含まれるいずれかの特定のフレームの画像データを取得できる時刻を前記予約情報として、前記制御用記憶装置に記憶させることを特徴とする放送画面予約印刷装置。
【請求項６】
請求項１に記載の放送画面予約印刷装置において、
前記印刷予約手段は、テレビジョン放送の映像信号中に含まれるいずれかの特定のフレームの画像データを取得するために、基準となるフレームから数えて何番目のフレームかを指定するデータを前記予約情報として、予め制御用記憶装置に記憶させることを特徴とする放送画面予約印刷装置。
【請求項７】
テレビジョン放送により放映される画面であって印刷の対象となるもののリストを表示手段に表示させ、
前記リストの中から、印刷を要求する予約画面を、選択手段により選択させ、
前記テレビジョン放送の映像信号中に含まれる、特定のフレームにより表示されるものであって、前記選択手段により選択された予約画面の印刷を要求する情報（予約情報）を、印刷予約手段により制御用記憶装置に記憶させ、
前記制御用記憶装置に記憶された予約情報に従って、前記テレビジョン放送の映像信号中に含まれる、前記特定のフレームをフレーム検出手段により検出させ、
前記フレーム検出手段により検出された特定のフレームにより表示される、前記予約画面の画像データを印刷用バッファメモリに一時的に記憶させ、
所定のタイミングで前記印刷用バッファメモリに記憶された画像データの転送を受けて印刷手段に印刷を実行させることを特徴とする放送画面予約印刷方法。
【請求項８】
コンピュータを、
テレビジョン放送により放映される画面であって印刷の対象となるもののリストの中から、印刷を要求する予約画面が選択されたとき、その選択情報を受け入れて、前記テレビジョン放送の映像信号中に含まれる、特定のフレームにより表示されるものであって、前記選択手段により選択された予約画面の印刷を要求する情報（予約情報）を、制御用記憶装置に記憶させる印刷予約手段と、
前記制御用記憶装置に記憶された予約情報に従って、前記テレビジョン放送の映像信号中に含まれる、前記特定のフレームを検出するフレーム検出手段と、
前記フレーム検出手段により検出された特定のフレームにより表示される、前記予約画面の画像データを一時的に記憶する印刷用バッファメモリと、
所定のタイミングで前記印刷用バッファメモリに記憶された画像データの転送を受けて印刷を実行する印刷手段、
として機能させることを特徴とする放送画面予約印刷プログラム。
【発明の詳細な説明】
【技術分野】
【０００１】
本発明は、テレビジョン放映された任意の画面を予約印刷することができる用途に使用される、放送画面予約印刷装置と放送画面予約印刷方法と放送画面予約印刷プログラムに関する。
【背景技術】
【０００２】
テレビジョン放送には、ＶＨＦ、ＵＨＦ、ＢＳ、ＣＳ、地上波ディジタル放送というように、多様な方式が採用されている。また、インターネットのブロードバンドでも、テレビジョン放送が行われている。いずれにしても、ディジタル化によってますます高画質な画面が配信されるようになり、放送画面をプリンタで印刷して利用する技術も開発されている（特許文献１参照）（特許文献２参照）。
【特許文献１】特開２００３−２６４８０３号公報
【特許文献２】特開２００２−９４９１７号公報
【発明の開示】
【発明が解決しようとする課題】
【０００３】
ここで、従来の技術には、次のような解決すべき課題があった。
ビデオテープレコーダやＤＶＤレコーダを使用すると、自分の見たい番組を録画して、好きな時間に見ることができる。また、予め印刷用として配信された静止画を、プリンタにより印刷することもできる。しかしながら、自分の希望する任意の画面を選択して印刷するのは容易でない。放送を受信しながら希望する画面を選択しようとしても、タイミングよく最適な画面を指定して印刷するのは難しい。録画をしてからコマ送りで再生し、最適な画面を選択して印刷するのが一般的であるが、時間と手数がかかりすぎる。本発明は、以上の点に着目してなされたもので、テレビジョン放映された画面を簡単に指定して予約印刷することができる放送画面予約印刷装置と放送画面予約印刷方法と放送画面予約印刷プログラムを提供することを目的とする。
【課題を解決するための手段】
【０００４】
本発明の各実施例においては、それぞれ次のような構成により上記の課題を解決する。
〈構成１〉テレビジョン放送により放映される画面であって印刷の対象となるもののリストの中から、印刷を要求する予約画面が選択されたとき、その選択情報を受け入れて、上記テレビジョン放送の映像信号中に含まれる、特定のフレームにより表示されるものであって、上記選択手段により選択された予約画面の印刷を要求する情報（予約情報）を、制御用記憶装置に記憶させる印刷予約手段と、上記制御用記憶装置に記憶された予約情報に従って、上記テレビジョン放送の映像信号中に含まれる、上記特定のフレームを検出するフレーム検出手段と、上記フレーム検出手段により検出された特定のフレームにより表示される、上記予約画面の画像データを一時的に記憶する印刷用バッファメモリと、所定のタイミングで上記印刷用バッファメモリに記憶された画像データの転送を受けて印刷を実行する印刷手段とを備えたことを特徴とする放送画面予約印刷装置。
【０００５】
テレビジョン放送により放映される画面であって、印刷の対象となるもののリストから、任意の画面を選択して、印刷予約をすることができる。また、テレビジョン放送を監視しながら印刷すべき画面を選択しなくても、予約により自動的に希望する画面を選択して印刷することができる。静止画像だけでなく、テレビジョン放送で受信できる任意の画面の中から、希望する画面を選択して印刷できるので、ビデオ録画を予約するのと同様の感覚で、印刷されたテレビジョン放送画面を取得できる。テレビジョン受像機にプリンタを接続して、あるいはプリンタ単独で、予約画面を選択して印刷予約をし、希望する画面の印刷ができる。
【０００６】
〈構成２〉構成１に記載の放送画面予約印刷装置において、上記印刷予約手段は、テレビジョン放送の映像信号中に含まれる特定のフレームに付与されている識別情報を上記予約情報に含めて上記制御用記憶装置に記憶させ、上記フレーム検出手段は、上記テレビジョン放送の映像信号を監視して、上記識別情報が付与されたフレームを検出し、上記印刷用バッファメモリは、上記識別情報が付与されたフレームにより表示される画面の画像データを一時的に記憶して、上記印刷手段に転送することを特徴とする放送画面予約印刷装置。
【０００７】
ディジタル画像伝送では、１画面分の画像を表示するためのフレームをそれぞれヘッダ等の情報により個々に識別できる。即ち、映像信号中の印刷の対象となる画像データをフレームの識別情報により特定できる。故に、放映される動画像中の任意の画像を、予約により、自動的に直接選択して印刷することができる。
【０００８】
〈構成３〉構成１に記載の放送画面予約印刷装置において、上記印刷予約手段は、上記リストを使用して選択された予約画面と上記予約情報との対応関係を示す予約情報変換手段により予約情報を生成することを特徴とする放送画面予約印刷装置。
【０００９】
表示手段上で予約画面が選択手段により選択されるが、印刷予約手段は、その予約画面と予約情報との対応関係を示す予約情報変換手段により、予約情報を自動的に生成する。故に、利用者による予約画面の選択操作を簡便にすることができる。
【００１０】
〈構成４〉構成１に記載の放送画面予約印刷装置において、上記テレビジョン放送により放映される画面であって、印刷の対象となるものに、それぞれ、当該画面の内容に関連する分類が付与されており、上記表示手段は上記分類を表示し、上記選択手段が上記いずれかの分類を指定すると、該当する分類が付与された画面が選択され、対応する予約情報が印刷予約手段に通知されることを特徴とする放送画面予約印刷装置。
【００１１】
印刷すべき画面をリストを見ながら選択するかわりに、特定の分類が付与された画面を選択して印刷予約する。印刷の対象となる画面には、それぞれ、当該画面の内容に関連する分類を付与する。視聴者は、その分類を利用して、好みの画面を複数一括選択して、印刷予約をすることができる。
【００１２】
〈構成５〉構成１に記載の放送画面予約印刷装置において、上記印刷予約手段は、テレビジョン放送の映像信号中に含まれるいずれかの特定のフレームの画像データを取得できる時刻を上記予約情報として、上記制御用記憶装置に記憶させることを特徴とする放送画面予約印刷装置。
【００１３】
印刷を希望する画面を表示するフレームを、その放送時刻を利用して指定するので、識別情報を利用した場合に比べてフレーム検出手段の動作を簡略化できる。
【００１４】
〈構成６〉構成１に記載の放送画面予約印刷装置において、上記印刷予約手段は、テレビジョン放送の映像信号中に含まれるいずれかの特定のフレームの画像データを取得するために、基準となるフレームから数えて何番目のフレームかを指定するデータを上記予約情報として、予め制御用記憶装置に記憶させることを特徴とする放送画面予約印刷装置。
【００１５】
番組開始時刻や現在時刻から印刷を希望する画面の放送時刻までの時間に基づいて、今から数えて何番目のフレームかを数値で指定すれば、識別情報を利用した場合に比べてフレーム検出手段の動作を簡略化できる。
【００１６】
〈構成７〉テレビジョン放送により放映される画面であって印刷の対象となるもののリストを表示手段に表示させ、上記リストの中から、印刷を要求する予約画面を、選択手段により選択させ、上記テレビジョン放送の映像信号中に含まれる、特定のフレームにより表示されるものであって、上記選択手段により選択された予約画面の印刷を要求する情報（予約情報）を、印刷予約手段により制御用記憶装置に記憶させ、上記制御用記憶装置に記憶された予約情報に従って、上記テレビジョン放送の映像信号中に含まれる、上記特定のフレームをフレーム検出手段により検出させ、上記フレーム検出手段により検出された特定のフレームにより表示される、上記予約画面の画像データを印刷用バッファメモリに一時的に記憶させ、所定のタイミングで上記印刷用バッファメモリに記憶された画像データの転送を受けて印刷手段に印刷を実行させることを特徴とする放送画面予約印刷方法。
【００１７】
表示手段は、テレビジョン受像機側にあっても、プリンタ側にあってもよい。選択手段も同様である。また、テレビジョン放送の映像信号は、録画装置から出力されるものであってもよい。いずれの場合でも、特定のフレームを検出して、任意の画面を自動的に印刷出力させることができる。
【００１８】
〈構成８〉コンピュータを、テレビジョン放送により放映される画面であって印刷の対象となるもののリストの中から、印刷を要求する予約画面が選択されたとき、その選択情報を受け入れて、上記テレビジョン放送の映像信号中に含まれる、特定のフレームにより表示されるものであって、上記選択手段により選択された予約画面の印刷を要求する情報（予約情報）を、制御用記憶装置に記憶させる印刷予約手段と、上記制御用記憶装置に記憶された予約情報に従って、上記テレビジョン放送の映像信号中に含まれる、上記特定のフレームを検出するフレーム検出手段と、上記フレーム検出手段により検出された特定のフレームにより表示される、上記予約画面の画像データを一時的に記憶する印刷用バッファメモリと、所定のタイミングで上記印刷用バッファメモリに記憶された画像データの転送を受けて印刷を実行する印刷手段、として機能させることを特徴とする放送画面予約印刷プログラム。
【００１９】
プリンタ内部にこの機能を持つコンピュータプログラムをインストールしておけば、プリンタ独自で、あるいは、テレビジョン受像機に接続をして、予約印刷制御が可能になる。
【発明を実施するための最良の形態】
【００２０】
本発明では、ビデオテープの録画予約と同様の要領で、放送画面の印刷予約をする。プリンタは、テレビジョンチューナを内蔵するか、あるいは、テレビジョン受像器のビデオ映像出力端子に接続される。操作用の画面には印刷予約が可能な画面のリストが表示される。いずれかの画面を予約対象として選択すると、予約情報が生成されて制御用記憶装置に記憶される。その後は自動的に該当する画像データが取得されて、印刷手段により印刷される。以下、本発明の実施の形態を実施例ごとに詳細に説明する。
【実施例１】
【００２１】
図１は、実施例１の放送画面予約印刷装置を示すブロック図である。
図の装置は、放送局１２から送信されるテレビジョン放送を受信するアンテナ１４とテレビジョンチューナ１６を備えている。受信された映像信号２０は１フレームずつ順にフレームバッファ１８に入力する。映像信号２０中の各フレーム２２には、それぞれ１画面分ずつの画像データ２４が含まれている。フレームバッファ１８の出力はフレーム検出手段２８に入力する。制御用記憶装置２６には予約情報４０が記憶される。
【００２２】
この放送画面予約印刷装置は、フレーム検出手段２８、転送制御手段３２、印刷手段３４、印刷予約手段４２、選択手段５２といったコンピュータプログラムがコンピュータに予約印刷処理を実行させることにより動作する。制御用記憶装置２６と印刷用バッファメモリ３０はコンピュータに付属した記憶装置である。プリントエンジン３８はプリンタの本体部分である。プリンタの動作制御をするために設けられたコンピュータが、予約印刷処理の制御をする。
【００２３】
フレーム検出手段２８は、制御用記憶装置２６に記憶された予約情報４０に従って、テレビジョン放送の映像信号２０中に含まれる、特定のフレーム２２を検出する機能を持つ。印刷用バッファメモリ３０は、フレーム検出手段２８により検出された特定のフレーム２２により表示される、予約画面５０の画像データ２４を、一時的に記憶する記憶装置である。
【００２４】
表示手段４８は、テレビジョン放送により放映される画面であって印刷の対象となるもののリスト４４を表示する機能を持つ。このリストは、この例では、プリント予約メニュー４６中に含まれている。選択手段５２は、リスト４４の中から、印刷を要求する予約画面５０を選択する機能を持つ。印刷予約手段４２は、選択手段５２により選択された予約画面５０の印刷を要求する情報（予約情報４０）を、制御用記憶装置２６に記憶させる機能を持つ。
【００２５】
転送制御手段３２は、印刷用バッファメモリ３０から印刷用の画像データ２４を、印刷手段３４による印刷速度にあわせて、順番に印刷手段３４に転送する機能を持つ。印刷手段３４は、プリンタドライバ３６を備え、転送制御手段３２から転送された画像データ２４を使用して、プリントエンジン３８に印刷をさせる機能を持つ。
【００２６】
以上の装置は、テレビジョン放送により放映される画面であって、印刷の対象となるもののリスト４４から、任意の画面を選択して、印刷予約をすることができる。また、テレビジョン放送を監視しながら印刷すべき画面を選択しなくても、予約により自動的に希望する画面を選択して印刷することができる。静止画像だけでなく、テレビジョン放送で受信できる任意の画面の中から、希望する画面を選択して印刷できるので、ビデオ録画を予約するのと同様の感覚で、印刷されたテレビジョン放送画面を取得できる。複数の画面の印刷を要求しているときは、印刷用バッファメモリ３０に記憶される複数の画像データ２４を、順次、適切なタイミングで印刷すればよい。
【００２７】
テレビジョン放送の種類は任意である。例えば、ＶＨＦ、ＵＨＦ、ＢＳ、ＣＳ、地上波ディジタル放送、インターネットのブロードバンド放送等がある。放映される画面は静止画でも動画でもよい。印刷をするための解像度の調整は、既知の任意の手段で、適当なタイミングで実行するとよい。リスト４４とは、印刷の対象となる画面を特定するための、画面名のリストやその他の情報である。画面を１枚ずつ選択して特定するようなリストでもよいし、複数枚の画面を一括して選択し特定するリストでもよい。表示手段４８は、例えば、液晶表示パネル等の、情報表示用の装置である。文字、画像、音声等、任意の手段でリスト４４を表示できるものであればよい。予約画面５０は紙等の媒体上に印刷される。選択手段５２は、リスト表示された情報を利用者が選択し、その結果を装置に入力するためのもので、キーボードや、表示手段４８上に表示された仮想キー、音声入力装置等、任意の手段が利用できる。選択の結果得られる選択情報は、例えば、画面名の文字コードや属性データ等である。
【００２８】
リスト４４は、テレビジョン放送の付属情報として、例えば、番組表５４等と一体に、放送局１２からテレビジョン受像器に送信されることが好ましい。しかし、インターネットでダウンロードできるようにしたり、任意の記憶媒体を介して装置に入力されるようにしてもよい。従って、リスト４４は放送局１２で生成されてもよいし、他の情報サービス機関で独自に生成されて、任意の媒体や通信路を通じて装置に転送されてもよい。
【００２９】
テレビジョン放送の映像信号２０の形式は放送方式により異なるが、いずれも、１秒間に３０枚ほどの画面をディスプレイに表示できるように、画像データ群を送信する信号である。ここで、１枚分の画像データ２４とその表示制御のための制御情報を含むデータを、フレーム２２と呼ぶことにする。予約情報４０は印刷の対象になるフレーム２２を特定する情報を含む。予約画面５０を印刷するための画像データ２４がこのフレーム２２に含まれている。
【００３０】
印刷予約手段４２は、選択手段５２の操作により入力された選択情報を予約情報４０に変換して制御用記憶装置２６に記憶させる機能を持つ。制御用記憶装置２６は、任意のメモリである。フレーム検出手段２８は、予約情報４０と比較をしながら、受信された映像信号２０中から特定のフレーム２２を検出する機能を持つ。印刷用バッファメモリ３０は、検出したフレーム２２を、少なくとも印刷手段３４による印刷が終了するまで、一時的に保持する機能を持つ。印刷手段３４は、既存の任意のプリンタである。
【００３１】
図１に示した各ブロックは、全てプリンタの内部に組み込むことができる。なお、テレビジョンチューナ１６の部分は、既存のテレビジョン受像器側にあってもよい。このとき、表示手段４８にはテレビジョン受像器のディスプレイが利用されてもよい。また、選択手段５２にはテレビジョン受像器のリモートコントローラが利用されてもよい。
【００３２】
放送画面を監視しながら、印刷したい画面が映し出されたときにプリンタに印刷命令を入力するのでは、動画の場合、タイミングよく好みの画面を選択することは難しい。いったん録画をしてからコマ送りで再生し、印刷命令を入力するとよいが、かなり時間と手間のかかる作業になる。これに比べて本発明の装置によれば、自動的に最適の画面を選択して印刷することができ、しかも、予約印刷が可能になるという効果がある。
【００３３】
図２は、リストを用いた予約画面の選択方法説明図である。
図の番組表５４とプリント予約メニュー４６とは、図１に示した表示手段４８に表示される予約印刷操作用の画面である。操作ボタン５６は、この例では、テレビジョン受像器のリモートコントローラに設けられたものの一部である。これはディスプレイ等に表示される仮想キーであってもよい。図の番組表５４は、既存のディジタルテレビジョン放送で放送局側から自動的に送信されているデータの例を示す。この番組表５４にプリント予約メニュー４６を一体化するとよい。
【００３４】
即ち、番組表５４の各番組ごとに、プリント予約メニュー４６に示したような、印刷可能な画面のリストが表示される。例えば、「今週のヒット曲」という番組では、例えば、歌手名や曲名等が予約画面名としてリストされている。歌手名を選択すると、その歌手の出演中の画面が印刷される。「北海道の旅」といった題目の番組では、番組中に表示された各旅先の景色やホテルの外観等が予約画面として選択できる。グルメ番組では、例えば、料理の写真等が予約画面として選択できる。
【００３５】
既存のディジタルテレビジョン放送で、番組表５４を使用した番組選択は、操作ボタン５６を使用する。操作ボタン５６の矢印キーを操作して、カーソルを上下左右に移動させ、該当する番組の上にカーソルが移動すると、決定キーを押して選択結果を入力する。予約画面の選択操作も全く同様で、プリント予約メニュー４６を表示させた状態で操作ボタン５６を操作し、希望する予約画面名を選択する。
【００３６】
上記の装置で、予約情報変換手段５８は、リスト４４を使用して選択された予約画面（図２のＡＡＡ・・・）の選択情報と予約情報４０との対応関係を示す、テーブルデータ等からなる。例えば、図２の予約画面名「ＡＡＡ」上にカーソルを合わせて、操作ボタン５６の決定キーを押すと、カーソルの位置情報やあるいは画面名の文字データが選択情報として取得される。予約情報変換手段５８は、その選択情報に対応する予約情報４０を生成して出力する。
【００３７】
図１に示す印刷予約手段４２は、その予約情報４０を制御用記憶装置２６に記憶させる。予約情報４０により予約画面を表示するフレームが特定されれば、フレーム検出手段２８は、放送受信時にフレームバッファ１８に順次格納されるフレームを監視して、該当するフレームを検出することができる。検出されたフレームからは、予約画面を表示する画像データ２４が抽出されて、印刷手段３４に転送され、予約画面５０が印刷される。
【実施例２】
【００３８】
図３は予約情報の各種具体例を示す説明図である。
図３（ａ）は予約情報４０の構成例を示す。この予約情報４０は、プリントエンジン起動時刻６０と映像信号監視開始時刻６２と映像信号監視終了時刻６４と識別情報６６を備える。プリントエンジン起動時刻６０は、印刷用バッファメモリ３０に画像データ２４が格納されたときに速やかに印刷処理が実行できるように、プリントエンジン３８等を予め起動させて、スタンバイ状態にしておくための時刻データである。
【００３９】
識別情報６６は、例えば、図３（ｂ）に示すように、フレーム２２の一部に含まれた識別コード６７から生成される。映像信号監視開始時刻６２と映像信号監視終了時刻６４は、予約画面を表示する画像データを含むフレームの入力を監視する時間的な範囲を指定するデータである。このデータは、印刷予約手段４２が予約情報４０を生成するときに生成する。
【００４０】
例えば、図３（ｃ）に示すように、時刻ｔ１に番組が開始され、時刻ｔ２、時刻ｔ３、時刻ｔ４、時刻ｔ５にそれぞれ予約画面を表示するフレームが受信されるとする。このとき、少なくとも一番速い時間に受信されるフレームの受信時刻ｔ２を、映像信号監視開始時刻６２に設定する。また、最後に受信されるフレームの受信時刻ｔ５を映像信号監視終了時刻６４に設定する。これで、時刻ｔ２から時刻ｔ５までに表示される４枚の画面を印刷する印刷データを、印刷用バッファメモリ３０に全て格納できる。なお、該当する予約画像が放映される番組の開始時間と終了時間とが番組表５４のデータ中に含まれている。従って番組の開始時間を映像信号監視開始時刻６２に、終了時間を映像信号監視終了時刻６４に設定するのが、最も処理が容易である。後で説明するプログラム制御は、後者の例を示す。
【００４１】
図３（ａ）の識別情報６６は、各フレーム２２に直接付加された識別コード６７等のように、フレーム２２を直接識別する情報が好ましい。しかし、映像信号２０中のある基準となる信号に続いて受信されるフレーム２２の数を順番にカウントして、何番目に受信されるフレームである、というように、フレーム２２を間接的に特定する情報であってもよい。また、各フレーム２２の放送時刻を正確に特定することができれば、該当する放送時刻を指定する情報であればよい。
【００４２】
フレーム検出手段２８は、テレビジョン放送の映像信号２０を監視して、識別情報６６が付与されたフレーム２２を検出する。印刷用バッファメモリ３０は、識別情報６６が付与されたフレーム２２により表示される画面の画像データ２４を、一時的に記憶する。ディジタル画像伝送では、１画面分の画像を表示するためのフレーム２２を所定の速度で連続的に転送する。各フレーム２２は、それぞれヘッダ等の情報により個々に識別できる。即ち、映像信号２０中の印刷の対象となる画面を、フレーム２２の識別情報６６により特定できる。故に、放映される動画像中の任意の画面を、予約により、自動的に直接選択して印刷することができる。
【００４３】
なお、図３（ｂ）に示すように、例えば、映像信号の構成上、フレームの受信時刻ｔ２、時刻ｔ３、時刻ｔ４、時刻ｔ５を実時刻で表現できることがある。このとき、予約情報の内容は、受信したフレームを印刷用バッファメモリ３０に格納するタイミングを示す時刻を直接指定する情報であればよい。印刷予約手段４２は、画像データ２４を取得できる時刻を演算処理して、予約情報４０として制御用記憶装置２６に記憶させる。テレビジョンの場合、該当するフレーム２２を特定できる時間精度は、３０分の１秒以下であるから、これ以上の精度で時刻ｔ指定すればよい。
【００４４】
テレビジョン放送で毎秒受信されるフレーム数は一定である。例えば、番組開始時刻から数えて何フレーム目に、予約画面を表示するフレームが受信されるかを算出できる。従って、図３（ｃ）に示すように、基準となるフレームを特定するデータ（ここでは、番組開始時刻ｔ１から数えて何番目のフレームかを指定するデータｆ１、ｆ２、ｆ３、ｆ４）を生成して、予約情報４０として制御用記憶装置２６に記憶させるとよい。以上、いずれの方法によっても、この実施例では、特定のフレームを検出して、予約画像を印刷するための画像データを自動的に抽出できる。
【実施例３】
【００４５】
図４は、予約画面の選択に分類を利用する場合の説明図である。
図示の実施例では、テレビジョン放送により放映される画面であって、印刷の対象となるものに、それぞれ、当該画面の内容に関連する分類７０を付与する。図１に示した表示手段４８は、分類７０を含む分類リスト６８を表示している。この例では、各画面に、例えば、音楽、旅行、ショップといった大分類を付与するとともに、例えば、大分類が音楽なら、クラシック、ポップス、演歌といった小分類を付与している。大分類が旅行なら海、鉄道、飛行機、船、ホテル、といった小分類を付与している。
【００４６】
分類選択には、操作ボタン５６（選択手段）を使用する。操作ボタン５６でいずれかの分類７０を指定すると、該当する分類７０が付与された画面が選択される。例えば、山という分類を選択すると、検索手段７２が、山という分類の付与された全ての画面名をプリント予約メニュー４６の中から抽出する。各画面には、複数の分類が付与されていても構わない。いずれにしても、この方法で、複数の画面を一括して予約画面として選択することができる。選択した予約画面に対応する予約情報４０は印刷予約手段４２に通知される。印刷すべき画面をリスト４４を見ながら選択するかわりに、特定の分類７０が付与された画面を選択して印刷予約するから、視聴者は、好みの画面を複数一括選択して、簡単な操作で印刷予約することができる。
【実施例４】
【００４７】
図５は、放送画面予約印刷装置による予約印刷操作のためのコンピュータプログラムフローチャートである。
以下の図面を用いて、上記の放送画面予約印刷装置のコンピュータを動作させるための、コンピュータプログラムの具体的な処理動作を説明する。図５において、まず、ステップＳ１１で、図２に示したようなＴＶ番組表５４をテレビジョン受像機の画面に表示する。プリント予約を開始するときは、ステップＳ１２からステップＳ１３へ進む。ステップＳ１３では、このＴＶ番組表５４を右側へスクロールして、プリント予約メニュー４６を表示する。
【００４８】
プリント予約メニュー４６上で操作ボタン５６を使用して予約対象画面を選択し、その決定ボタンを操作すると、ステップＳ１４からステップＳ１５進み、選択された画面名に相当するデータが検出される。ステップＳ１６では、印刷予約手段４２が予約情報変換手段５８の変換テーブルを参照する。ステップＳ１７では、予約対象画面を表示するフレームを識別するための識別情報を生成し、ステップＳ１８で放映時間を検出する。さらに、ステップＳ１９では、予約対象画面の放映番組情報を取得する。即ち、この処理により、該当するフレームが何時から始まるどの番組により放映されるものかという情報を取得する。この情報は番組表５４に含まれた情報から容易に取得できる。
【００４９】
先に図３を用いて説明した例では、最初に印刷をする画像データを含むフレームの受信時刻を映像信号監視開始時刻６２とし、最後に印刷をする画像データを含むフレームの受信時刻を映像信号監視終了時刻６４とした。一方、この例では、制御を容易にするために、予約対象画面を放映する番組の開始時刻から終了時刻までを監視時間に設定する。従って、ステップＳ２０で番組の開始時刻を取得し、ステップＳ２１で映像信号監視開始時刻６２のデータを生成する。プリントエンジン起動時刻６０も同一にするとよい。次にステップＳ２２で、番組の終了時刻を取得し、映像信号監視終了時刻６４のデータを生成する。ステップＳ１７とステップＳ２１とステップＳ２３で生成された情報から、ステップＳ２４で予約情報４０を生成する。ステップＳ２５では、印刷予約手段４２が制御用記憶装置２６に対し、予約情報４０を記憶させる。以上の処理によって、予約画面を個別に選択する操作による予約処理が完了する。
【００５０】
図６はフレーム検出手段２８によるフレーム検出動作と印刷手段３４による印刷動作のコンピュータプログラムフローチャートである。
図６（ａ）では、フレーム検出手段２８がフレームバッファ１８に順次記憶されるフレームから目的とするフレームを抽出する。まず、ステップＳ３１で、フレーム検出手段２８は制御用記憶装置２６に記憶された予約情報４０を読み取る。次に、ステップＳ３２で、予約情報４０に含まれる映像信号監視開始時刻６２と現在時刻とを比較して、監視開始時刻になったかどうかを判断する。監視開始時刻になると、ステップＳ３３でフレーム検出手段２８はフレームの監視動作を開始する。
【００５１】
ステップＳ３４では、フレームバッファ１８に記憶されたフレームの情報と予約情報４０との比較を行う。そして、ステップＳ３５で予約画面を表示するフレームかどうかの判断をする。予約画面を表示するためのフレームであれば、ステップＳ３６に進み、印刷用バッファメモリ３０に対して、フレームバッファ１８に記憶された画像データ２４を転送し記憶させる。次にステップＳ３７において、制御用記憶装置２６に記憶された映像信号監視終了時刻６４と現在時刻とを比較して、監視終了時刻かどうかを判断する。
【００５２】
監視終了時刻でなければ再びステップＳ３４に戻り、次にフレームバッファ１８に入力するフレームと予約情報との比較処理を繰り返す。監視終了時刻になると、ステップＳ３７からステップＳ３８に進み、フレーム検出手段２８の監視動作を終了する。こうして印刷用バッファメモリ３０には、予約印刷の対象となる画像データ２４が全て記憶される。図１に示した転送制御手段３２と印刷手段３４とは、フレーム検出手段２８の動作と並行して印刷動作を実行する。図６（ｂ）はその印刷動作を示す。
【００５３】
転送制御手段３２は、ステップＳ４１において、印刷用バッファメモリ３０に画像データ２４が記憶されたかどうかを監視する。印刷用バッファメモリ３０に画像データ２４が記憶されると、ステップＳ４２において、転送制御手段３２は印刷手段３４を起動する。そして、ステップＳ４３において、転送制御手段３２は印刷手段３４に対して、印刷用バッファメモリ３０に記憶された画像データ２４を１画面分転送する。印刷手段３４では、プリンタドライバ３６がその画像データを印刷用データに変換し、ステップＳ４４で、プリントエンジン３８を駆動して印刷を実行する。印刷用バッファメモリ３０に別の画像データ２４が残っていれば、ステップＳ４５からステップＳ４３に戻る。そして、印刷用バッファメモリ３０に記憶された全ての画像データの印刷が終了するまで、ステップＳ４３からステップＳ４５の動作を繰り返す。
【００５４】
図７は画面に付与された分類を使用した予約操作のコンピュータプログラムフローチャートである。
まずステップＳ５１において、図４に示したような分類リスト６８をテレビジョン受像機の図示しないディスプレイに表示する。別の分類リストの表示を変更したいときはステップＳ５２からステップＳ５３に進む。ステップＳ５３では分類リスト６８の表示切り換えを行う。分類の選択方法は、予約画像の選択方法と同様である。いずれかの分類を選択すると、ステップＳ５４からステップＳ５５に進む。
【００５５】
ステップＳ５５では、検索手段７２が選択された分類名を検出する。ステップＳ５６ではその分類名に対応する分類キーを取得してステップＳ５７で検索を実行する。分類名と分類キーの対応データは検索手段７２が持っていればよい。プリント予約メニュー４６に表示された図２に示したようなデータには、多数の予約可能な画像名が表示されている。検索手段７２は、これらの中から該当する分類の付与された画像名を抽出する。そして、ステップＳ５８において、該当する画像名を含むプリント予約メニュー４６を表示する。なお、該当する画像名が見易いように、例えば、ステップＳ５９で、該当する分類の画面名を高輝度表示する。あるいは、他の画像名と区別できるような色の文字で画面名を表示する。
【００５６】
この段階で、利用者に対して、抽出された全ての画像の印刷を一括予約するか、ある時間の範囲内の画像のみを印刷するか、抽出された画像のいくつかをさらに個別に選択するかの指示を入力させる。ステップＳ６０からステップＳ６１は、一括予約の処理で、ステップＳ６２からステップＳ６４は、ある時間の範囲内の画像のみを指定する処理で、ステップＳ６５へ進むと、抽出された画像のいくつかをさらに個別に選択する処理である。
【００５７】
まず、ステップＳ６０で、プリント一括予約と判断すると、ステップＳ６１で該当する分類の全ての画面名に対応する予約情報を生成する。予約情報の生成方法は、既に図３を用いて説明したとおりである。一方、ステップＳ６２で、利用者によって時間範囲が指定されたと判断するとステップＳ６３へ進む。例えば、同一の分類が付与された画面が多数ある場合に、ある番組の該当画面のみ印刷をしたいということがある。このような場合には、ステップＳ６３で、監視開始時刻の入力を受け付け、ステップＳ６４で監視終了時刻の入力を受け付ける。
【００５８】
一括予約の処理も、ある時間の範囲内の画像のみを指定する処理も、予約受付後は図５のステップＳ２４へ進む。一方、多数の画面名が抽出された後、その中から個別に予約画面を選択する場合には、ステップＳ６５で図５のステップＳ１５に進む。以下の処理は図５の説明のとおりである。こうして、メニューで表示された分類を指定することにより、その分類に該当する全ての画面、あるいは一定の時間範囲の画面を一括選択し、予約をして、自動的に印刷をさせることができる。
【実施例５】
【００５９】
図８は、上記の放送画面予約印刷装置の具体的な使用態様を示す説明図である。
まず、図８（ａ）は、プリンタ８０の内部に既に説明した全ての機能ブロックを組み込んだ例を示す。このプリンタ８０に設けられた液晶表示板８１に、既に説明したプリント予約メニュー４６などを表示する。ここで、リスト４４（図１）中から予約画面を選択する。プリンタ８０の側面には、アンテナ端子８２が設けられており、ここには、テレビジョン放送受信用のアンテナ８３が接続される。こうしてプリンタ８０は、自動的にテレビジョン放送を受信し、予約された画面の印刷を行うことができる。
【００６０】
図８（ｂ）は、テレビジョン受像機とプリンタとを組み合わせた構成のものである。プリンタ８５は、テレビジョン受像機８６とケーブル８９を通じて接続されている。プリンタ８５中の印刷予約手段４２（図１）は、テレビジョン受像機８６に番組表やプリント予約メニューなどの画面８７を表示させる制御を行う。テレビジョン受像機８６のリモートコントローラ８８によって予約画面を選択する。その選択情報がケーブル８９を通じてプリンタ８５に転送され、印刷予約手段４２が予約情報４０を生成する。
【００６１】
また、既存の録画装置により録画された画像の中から、予約した画像を抽出して印刷することもできる。図８（ｃ）の例では、プリンタ９１をＤＶＤレコーダ９２にケーブル９３を介して接続している。ＤＶＤレコーダ９２は、ケーブル９４を通じてテレビジョン受像機８６と接続されている。ＤＶＤレコーダ９２で任意の番組を予約録画する時、番組表やプリント予約メニューのデータが、ＤＶＤレコーダ９２に記憶される。予約録画の終了後に、その番組表やプリント予約メニューを使用して、印刷すべき画像を選択する。
【００６２】
その後、ＤＶＤレコーダ９２に録画した番組を再生させる。ＤＶＤレコーダ９２からプリンタ９１に対して、テレビジョン受像機８６に接続した場合と全く同様にして、該当するテレビジョン放送の映像信号が入力する。従って、既に説明したのと同様の要領で、予約制御と予約画像の印刷制御をすることが可能である。この場合、録画した画面をコマ送りでチェックしながら印刷すべき画面を選択する作業が不要になる。しかも、録画した放送に含まれる任意の画面を放送時間には拘束されずに自動的に一括印刷することが可能になる。
【図面の簡単な説明】
【００６３】
【図１】実施例１の放送画面予約印刷装置を示すブロック図。
【図２】リストを用いた予約画面の選択方法説明図。
【図３】予約情報の各種具体例を示す説明図。
【図４】予約画面の選択に分類を利用する場合の説明図。
【図５】放送画面予約印刷装置による予約印刷操作プログラムフローチャート。
【図６】フレーム検出動作と印刷動作のプログラムフローチャート。
【図７】画面に付与された分類を使用した予約操作プログラムフローチャート。
【図８】放送画面予約印刷装置の具体的な使用態様を示す説明図。
【符号の説明】
【００６４】
１２  放送局、  １４  アンテナ、  １６  ＴＶチューナ、  １８  フレームバッファ、  ２０  映像信号、  ２２  フレーム、  ２４  画像データ、  ２６  制御用記憶装置、  ２８  フレーム検出手段、  ３０  印刷用バッファメモリ、  ３２  転送制御手段、  ３４  印刷手段、  ３６  プリンタドライバ、  ３８  プリントエンジン、  ４０  予約情報、  ４２  印刷予約手段、  ４４  リスト、４６  プリント予約メニュー、  ４８  表示手段、  ５０  予約画面、  ５２  選択手段
【図１】
2005260694.tif 000003
【図２】
2005260694.tif 000004
【図３】
2005260694.tif 000005
【図４】
2005260694.tif 000006
【図５】
2005260694.tif 000007
【図６】
2005260694.tif 000008
【図７】
2005260694.tif 000009
【図８】
2005260694.tif 000010